(57)【要約】      （修正有）【課題】無侵襲、低拘束、短時間で、ヒトが感じる炭酸感の簡便かつ有効な客観的評価方法効率的かつ客観的に評価することができる評価方法を提供する。【解決手段】近赤外線分光法（ＮＩＲＳ）を用いて、ガス圧を変化させた時のこめかみ部付近の信号強度の変化量を計測する。【選択図】図１６
2016002091.tif 000002
【特許請求の範囲】
【請求項１】
生体光計測装置で被験者のこめかみ部付近の信号強度の変化を測定することを特徴とする、炭酸感の評価方法。
【請求項２】
炭酸感の評価方法であって、
（１）水または基準炭酸含有水溶液を飲用させ、生体光計測装置で被験者のこめかみ部付近の信号強度の変化を測定することを１回または数回行う工程、
（２）工程（１）の測定後、被験炭酸含有水溶液を飲用させ、生体光計測装置で被験者のこめかみ部付近の信号強度の変化を測定し、該信号強度の変化を指標として被験炭酸含有水溶液の炭酸感を評価する工程の各工程を含むことを特徴とする、炭酸感の評価方法。
【請求項３】
炭酸感作用剤の評価方法であって、
（１）基準炭酸含有水溶液を飲用させ、生体光計測装置で被験者のこめかみ部付近の信号強度の変化を測定することを１回または数回行う工程、
（２）工程（１）の測定後、基準炭酸含有水溶液に炭酸感作用剤をさらに添加した被験炭酸含有水溶液を飲用させ、生体光計測装置で被験者のこめかみ部付近の信号強度の変化を測定し、該信号強度の変化を指標として被験炭酸含有水溶液の炭酸感を評価する工程の各工程を含むことを特徴とする、炭酸感作用剤の効果の評価方法。
【請求項４】
炭酸感の評価方法であって、
（１）水を飲用させ、生体光計測装置で被験者のこめかみ部付近の信号強度を測定することを１回または数回行う工程、
（２）工程（１）の測定後、ガス圧を測定した第一の炭酸含有水溶液を飲用させ、生体光計測装置で被験者のこめかみ部付近の信号強度の変化を測定する工程、
（３）工程（２）の測定後、第一の炭酸含有水溶液より高いガス圧を有する、ガス圧を測定した第二の炭酸含有水溶液を飲用させ、生体光計測装置で被験者のこめかみ部付近の信号強度の変化を測定する工程、
（４）さらに所望に応じて、工程（３）の測定後、直前に飲用した炭酸含有水溶液より高いガス圧を有する、新たな炭酸含有水溶液を飲用し、生体光計測装置で被験者のこめかみ部付近の信号強度の変化を測定することを１回〜数回繰り返す工程、
（５）工程（４）までの測定後、被験炭酸含有水溶液を飲用させ、生体光計測装置で被験者のこめかみ部付近の信号強度の変化量を測定する工程、
（６）工程（２）〜（４）の各炭酸含有水溶液のガス圧の値、工程（２）〜（４）の各工程で得られた被験者のこめかみ部付近の各信号強度の変化量を用い、Ｘ軸をガス圧、Ｙ軸を信号強度の変化量とするガス圧−信号強度の変化量グラフを作成する工程、
（７）工程（６）で作成したガス圧−信号強度の変化量グラフ上で、工程（５）で得られた信号強度の変化量に対応するガス圧を求める工程の各工程を含むことを特徴とする、炭酸感の評価方法。
【発明の詳細な説明】
【技術分野】
【０００１】
本発明は、炭酸飲料などの炭酸含有水溶液のヒトが感じる炭酸感の評価方法および炭酸感作用剤の評価方法に関する。
【背景技術】
【０００２】
炭酸を含有する飲料は、炭酸水、炭酸飲料（コーラ、サイダー、トニックウォーター、果汁入り炭酸飲料など）、ビール、酎ハイ、ハイボール、スパークリングワインなど数多くある。例えば、炭酸飲料はその歴史も古く、世界中で長年にわたり愛飲され、日本の飲料市場においても茶飲料、コーヒー飲料とならんで重要な位置を占める飲料であり、夏の暑い時期や運動の後の汗をかいたときなどには、水分補給、糖分補給と共に、独特の清涼感を醸し出す、シュワシュワっとした喉ごしが非常に好まれている。
【０００３】
炭酸飲料は、他の清涼飲料にはない「炭酸感」あるいは「炭酸刺激感」（以後、炭酸感と呼ぶ）などと呼ばれる独特の感覚が特徴といえる。炭酸飲料では、炭酸ガスが加圧により水に溶解しているが、常圧に戻るときに溶け込んでいた二酸化炭素が水からガス状の炭酸ガスの気泡となって発生する。ヒトが感じる炭酸感はその気泡の発生時に舌の感覚細胞を圧覚または痛覚を刺激して、独特のシュワシュワっとした感覚を生じさせるというのがひとつの説であり飲料の味にも影響を与える感覚であるとも考えられている。一方で、溶存する二酸化炭素が味覚や体性感覚を刺激することで、我々が炭酸感と感じる感覚が誘起されるとする説もある。いずれにせよ、炭酸感は甘味や苦味のように感覚受容器やその作用機構の研究が進んでいる感覚に比べると、有効な科学的説明はおろか定義さえ明確ではないのが現状である。
【０００４】
また、炭酸飲料では、炭酸感が強いほど爽快感があり、嗜好性が高いとされ、ガス圧の強い飲料が求められる。しかしながら、果汁を含有する炭酸飲料については無菌充填技術がいまだ十分でないので、炭酸飲料を充填密封し、容器全体を６５℃、１０分以上の加熱殺菌する必要が生ずる。ところが、取り扱い、携帯に便利なＰＥＴボトルはスチール缶やアルミ缶ほどの耐圧性がないために、２気圧程度と充填時のガス圧をかなり低めに抑えなければならないという問題がある。さらに、ＰＥＴボトルでは容器のガス透過性によるガス圧の低下、開栓後の炭酸ガスの急速な脱気により、いわゆる「気の抜けた」状態となり、炭酸飲料に必要な爽快で強烈な炭酸感が弱まるなどの問題がある。
【０００５】
これを解決する方法として、低炭酸の飲料に添加することにより、炭酸感を増強できる成分の探索が行われた（特許文献１〜３）。その際、炭酸飲料における炭酸感の増強効果や、炭酸ガスに由来すると考えられる炭酸飲料が持つ本来の炭酸感の評価は、ヒトが行う官能評価によって行われてきた。
【０００６】
しかしながら、官能評価は、総合的な評価には適しているが個人差、感覚疲労、体調変化などの主観的要素が評価に影響する欠点があり、再現性の点でも問題がある。その主観的な評価に客観性を与えた手法としてＱＤＡ法（定量的記述分析法）があるが、共通用語の選定やパネルの訓練などに時間を要するという欠点がある。
【０００７】
また、官能評価に代わる方法として、液体クロマトグラフをはじめとする種々のクロマトグラフや匂いセンサ、味センサなどの機器による評価も利用されたが、いずれも有効な方法とは言えず、炭酸飲料のみならず、炭酸を含有する飲料の炭酸感を評価する客観的評価法の確立が強く求められていた。
【先行技術文献】
【特許文献】
【０００８】
【特許文献１】特開２０１０−６８７４９号公報
【特許文献２】特開２０１３−１２１３２３号公報
【特許文献３】特許第４６７９１３２号
【発明の概要】
【発明が解決しようとする課題】
【０００９】
本発明が解決しようとする課題は、官能評価に基づく欠点を解決し、無侵襲、低拘束、短時間で効率的かつ客観的に飲食品の炭酸感あるいは炭酸感作用剤の効果を評価することができる方法を提供することである。
【課題を解決するための手段】
【００１０】
飲食品、特に飲料中の炭酸は、飲食品の味に影響を与えることは周知であるものの、炭酸が生体のどの部位にどのように働いて、どのようなシグナルが脳へと伝達され、統合されるのかなどの炭酸感の生理的メカニズムについては今のところ、ほとんど解明されておらず、ヒトが感じる炭酸感の客観的評価方法は全くなかった。
【００１１】
一方、食品中の香気成分の評価、甘味、酸味、塩味、苦味、うま味などの呈味評価、辛み物質または苦味物質による摂食意欲の変化の評価などについては細胞内の受容体を含めた生理的メカニズムに関する研究が進んでおり、これらの成分に対する客観的評価方法について本発明者らは、近赤外線分光法を用い、こめかみ付近のヘモグロビン濃度の変化量を計測する方法を検討し、種々の提案（特許第４５５７９１７号、特許第４６７３３４１号、特許第４８１４１５２号、特許第４９６６７９０号、特許第４９７４３８３号、特許第５２２５９６９号、特許第５３３９８２０号）を行っている。
【００１２】
そこで、炭酸感の生理的メカニズムは不明であるが、本発明者らが種々の呈味成分などに対して確立した、上記の評価法が応用できるのではと考え、試しに被験者に水を飲用させてから、炭酸含有水溶液を飲用させ、こめかみ部付近の信号強度の変化量を計測したところ、意外にもヒトが感じる炭酸感を評価できることを見出した。
【００１３】
さらに、炭酸以外の成分組成が同じで充填時のガス圧が異なる水溶液を連続して被験者に飲用させ、こめかみ部付近の信号強度の変化量を計測し、ガス圧−信号強度のグラフを作成し、被験者がさらに連続して飲用した被験炭酸含有水溶液のこめかみ部付近の信号強度の変化量の数値に対する該グラフ上のガス圧を求めることにより、被験炭酸含有水溶液の炭酸感を測定できることを見出し、本発明を完成させた。
【００１４】
かくして、本発明は、以下のものを提供する。
［１］生体光計測装置で被験者のこめかみ部付近の信号強度の変化を測定することによる、炭酸感の評価方法。
［２］炭酸感の評価方法であって、
（１）水または基準炭酸含有水溶液を飲用させ、生体光計測装置で被験者のこめかみ部付近の信号強度の変化を測定することを１回または数回行う工程、
（２）工程（１）の測定後、被験炭酸含有水溶液を飲用させ、生体光計測装置で被験者のこめかみ部付近の信号強度の変化を測定し、該信号強度の変化を指標として被験炭酸含有水溶液の炭酸感を評価する工程、
の各工程を含む、炭酸感の評価方法。
［３］炭酸感作用剤の評価方法であって、
（１）基準炭酸含有水溶液を飲用させ、生体光計測装置で被験者のこめかみ部付近の信号強度の変化を測定することを１回または数回行う工程、
（２）工程（１）の測定後、基準炭酸含有水溶液に炭酸感作用剤をさらに添加した被験炭酸含有水溶液を飲用させ、生体光計測装置で被験者のこめかみ部付近の信号強度の変化を測定し、該信号強度の変化を指標として被験炭酸含有水溶液の炭酸感を評価する工程、
の各工程を含む、炭酸感作用剤の効果の評価方法。
［４］炭酸感の評価方法であって、
（１）水を飲用させ、生体光計測装置で被験者のこめかみ部付近の信号強度を測定することを１回または数回行う工程、
（２）工程（１）の測定後、ガス圧を測定した第一の炭酸含有水溶液を飲用させ、生体光計測装置で被験者のこめかみ部付近の信号強度の変化を測定する工程、
（３）工程（２）の測定後、第一の炭酸含有水溶液より高いガス圧を有する、ガス圧を測定した第二の炭酸含有水溶液を飲用させ、生体光計測装置で被験者のこめかみ部付近の信号強度の変化を測定する工程、
（４）さらに所望に応じて、工程（３）の測定後、直前に飲用した炭酸含有水溶液より高いガス圧を有する、新たな炭酸含有水溶液を飲用し、生体光計測装置で被験者のこめかみ部付近の信号強度の変化を測定することを１回〜数回繰り返す工程、
（５）工程（４）までの測定後、被験炭酸含有水溶液を飲用させ、生体光計測装置で被験者のこめかみ部付近の信号強度の変化量を測定する工程、
（６）工程（２）〜（４）の各炭酸含有水溶液のガス圧の値、工程（２）〜（４）の各工程で得られた被験者のこめかみ部付近の各信号強度の変化量を用い、Ｘ軸をガス圧、Ｙ軸を信号強度の変化量とするガス圧−信号強度の変化量グラフを作成する工程、
（７）工程（６）で作成したガス圧−信号強度の変化量グラフ上で、工程（５）で得られた信号強度の変化量に対応するガス圧を求める工程、
の各工程を含む、炭酸感の評価方法。
【発明の効果】
【００１５】
本発明によれば、ヒトが感じる炭酸感の簡便かつ有効な客観的評価方法を提供することができ、低炭酸の炭酸飲料の炭酸感増強のための炭酸感作用剤の探索や、消費者の嗜好性にあった炭酸飲料の開発の有効な手法として期待される。
【図面の簡単な説明】
【００１６】
【図１】図１はプローブ装着時のイメージ写真およびプローブ番号と該当する頭部計測位置の配置を示した図である。
【図２】図２は被験者が行う血流測定、アンケートなどの手順を示した説明図である（実施例１〜５）。
【図３】アンケートによる炭酸感の強さの官能評価（炭酸感スコア）の基準を示した図である。
【図４】水を飲用後、炭酸水（ガス圧２．０ｋｇ／ｃｍ２）を飲用した場合の各５２チャンネルの血流変化の図である。
【図５】水を飲用後、炭酸水（ガス圧２．０ｋｇ／ｃｍ２）を飲用した場合の変化量の大きかったチャンネル（５２ＣＨ、４４ＣＨ、３３ＣＨ）の血流変化の図である。
【図６】炭酸水（ガス圧２．０ｋｇ／ｃｍ２）を飲用した場合の炭酸感の官能評価結果を示す図である。
【図７】炭酸水（ガス圧２．０ｋｇ／ｃｍ２）を飲用後、炭酸水（ガス圧２．６ｋｇ／ｃｍ２）を飲用した場合の各５２チャンネルの血流変化の図である。
【図８】炭酸水（ガス圧２．０ｋｇ／ｃｍ２）を飲用後、炭酸水（ガス圧２．６ｋｇ／ｃｍ２）を飲用した場合の変化量の大きかったチャンネル（５２ＣＨ、４４ＣＨ、３３ＣＨ）の血流変化の図である。
【図９】炭酸水（ガス圧２．０ｋｇ／ｃｍ２）を飲用後、炭酸水（ガス圧２．６ｋｇ／ｃｍ２）を飲用した場合のそれぞれの炭酸感の官能評価結果を示す図である。
【図１０】炭酸飲料を飲用後、炭酸感作用剤であるユズノン添加炭酸飲料を飲用した場合の各５２チャンネルの血流変化の図である。
【図１１】左図は水の２回目および３回目の飲用の血流変化のグラフである。右図は水の飲用後、炭酸飲料および炭酸感作用剤であるユズノン添加炭酸飲料を続けて飲用した場合のそれぞれの血流変化のグラフである。
【図１２】炭酸飲料（ガス圧２．０ｋｇ／ｃｍ２）、炭酸飲料（ガス圧２．６ｋｇ／ｃｍ２）およびユズノン添加炭酸飲料を飲用した場合の炭酸感の官能評価結果を示す図である。
【図１３】炭酸飲料を飲用後、フレーバー添加炭酸飲料を飲用した場合の各５２チャンネルの血流変化の図である。
【図１４】左図は水の２回目および３回目の飲用の血流変化のグラフである。右図は水の飲用後、炭酸飲料およびユズノン含有炭酸感作用剤添加炭酸飲料を続けて飲用した場合のそれぞれの血流変化のグラフである。
【図１５】炭酸飲料（ガス圧２．０ｋｇ／ｃｍ２）、ユズノン添加炭酸飲料（ガス圧２．６ｋｇ／ｃｍ２）およびユズノン含有炭酸感作用剤添加炭酸飲料を飲用した場合の炭酸感の官能評価結果を示す図である。
【図１６】炭酸水（ガス圧１．０〜４．０ｋｇ／ｃｍ２）を飲用した場合の被験者３名の血流変化の平均のグラフである（左こめかみ部：５２ＣＨ、５１ＣＨ、４４ＣＨ）。
【図１７】炭酸水（ガス圧１．０〜４．０ｋｇ／ｃｍ２）を飲用した場合の被験者３名の血流変化の平均のグラフである（右こめかみ部：４３ＣＨ、４１ＣＨ、３３ＣＨ）。
【図１８】炭酸水（ガス圧１．０〜４．０ｋｇ／ｃｍ２）を飲用した場合の被験者３名の血流変化の平均のグラフである（左こめかみ部、右こめかみ部および左右こめかみ部の平均）。
【図１９】炭酸水（ガス圧１．０〜４．０ｋｇ／ｃｍ２）を飲用した場合の炭酸感の官能評価結果を示す図である。
【発明を実施するための形態】
【００１７】
前述したように、本発明は、ヒトが感ずる炭酸感の評価方法であり、無侵襲的な測定手法である近赤外線分光法（ＮＩＲＳ）を用いて、こめかみ部付近の信号強度の変化量を計測することを特徴とする。以下、本発明を実施するための手順、およびその内容について詳しく説明する。
【００１８】
本発明における炭酸感を有する飲食品は、特に限定はないが、例えば、炭酸水、炭酸飲料（コーラ、サイダー、トニックウォーター、果汁入り炭酸飲料など）、ビール、酎ハイ、ハイボール、スパークリングワインなどの炭酸入りアルコール飲料、冷菓、キャンディー、ゼリー、グミ、錠菓、チューインガムなどを挙げることができる。
【００１９】
本発明で使用する生体光計測装置は、被験者の脳活動等を反映する頭部血流の信号強度の変化を測定する装置であり、本発明者らは、これまで香気の評価、甘味、酸味、塩味、苦味、うま味などの呈味評価、辛み物質または苦味物質による摂食意欲の変化の評価などに用いてきた。その原理は、例えば、被験者が呈味成分を含む試料溶液を飲用すると、試料溶液中の呈味成分が味覚受容体などに作用し、その信号が脳に伝達されて神経活動が起こり、この神経活動に伴って毛細血管の拡張、酸素化ヘモグロビンの増加、および脱酸素化ヘモグロビンの減少が起こる現象を利用して、このヘモグロビン濃度変化を生体光計測装置により測定し、信号強度の変化として表示するものである。
【００２０】
実際の測定では、生体光計測装置を用いて被験者の頭皮上から脳に近赤外光（約７００〜約１５００ｎｍ）を当てると、近赤外光は脳組織を通った後、反射して頭皮上に戻ってくるが、近赤外光は酸化型ヘモグロビンと還元型ヘモグロビンとで吸収特性が異なる為、この反射光の減衰度合いの経時的変化から酸化型と還元型各々のへモグロビン濃度の変化（血流の経時的変化）が分かる。本発明の評価方法では、ヒトが感ずる炭酸感を、酸化型ヘモグロビン量の変化信号（以後、血流変化と呼ぶ）として計測する。
【００２１】
本発明の評価方法で使用しうる生体光計測装置は、光子エネルギーが低く、人体に対して良く透過する近赤外光を利用して、光ファイバーを通じて頭皮上から照射し、頭皮・頭蓋骨を透過して大脳で反射してきた光を再び頭皮上で電気信号に変えて検出する装置である。この装置を用いて、血液中に含まれる色素タンパク質であるヘモグロビンに吸収された近赤外光の反射光強度を計測することにより、血流変化を計測することができる。本発明の評価方法では、生体光計測装置の中でも、特に光トポグラフィ装置、すなわち近赤外分光法を利用して大脳皮質の神経活動等を含む頭部の血流変化を反映するヘモグロビンの相対的変化量を多点で測定する。脳は、活動した部位で血流が増加することが知られていることから、光トポグラフィ装置を用いると、局所的な脳血流変化を多点で完全に同時計測することができることの他、こめかみ部では唾液腺活動に由来する血流変化が観察できる。
【００２２】
光トポグラフィ装置の基本構造は、近赤外半導体レーザから照射される光を光ファイバーに送る照射装置と、照射用ファイバーと検出用ファイバーを頭皮上の決められた位置に配置するための照射検出装置（プローブ）（図１）と、検出された光信号を処理し、演算・表示する計算部分からなる。頭皮から反射してきた光は検出用ファイバーからフォトダイオードに入り電気信号に変換され、その後、この電気信号はどの照射点から到達した光であるかが判別され、各計測点に対応した検出光強度データを基に、ヘモグロビンの濃度変化を演算し、トポグラフィ画像が生成される。本発明で使用する光トポグラフィ装置としては、例えば、日立ＥＴＧ−４０００型光トポグラフィ装置（（株）日立メディコ製：５２チャンネル）を例示することができる。日立ＥＴＧ−４０００型光トポグラフィ装置を使用した場合、血流変化は、５２チャンネルの各チャンネルにおける応答をＸ軸を時間（秒）、Ｙ軸を頭部における血流の応答強度とするグラフ（以後、血流変化のグラフと呼ぶ）として同時に測定され、記録され、グラフとして表示することができる。
【００２３】
上記の５２チャンネルうち、こめかみ部付近の信号強度の変化の測定は、例えば、日立ＥＴＧ−４０００型光トポグラフィ装置を使用する場合、左側ではチャンネル４０、４１、５１、５２、右側ではチャンネル３３、３４、４３、４４の応答を記録することにより行うことができる。これらのチャンネルのいくつかの応答を炭酸感の指標として用いることができるが、最も大きな応答の得られたチャンネルの数値を用いて、炭酸感の評価を行うのが簡便、かつ、再現性の良い評価が可能であり、好ましい。あるいは、複数のチャンネルの応答の平均値を用いることもできる。
【００２４】
また、こめかみ部付近の信号強度の変化の測定はウェアラブル光トポグラフィWOT−S20（日立製作所）でも同様に計測することができる。
【００２５】
本発明では、被験者に水または基準炭酸含有水溶液を飲用させた後、被験炭酸含有水溶液を飲用させ、各チャンネルにおいて測定された血流変化の２つのグラフを同一座標軸上にプロットし、被験炭酸含有水溶液のグラフのピークの応答（最大値）から水または基準炭酸含有水溶液のグラフのピークの応答（最大値）を差し引いた値を血流変化量とする。実施例で説明するが、こめかみ部血流変化量と被験者の炭酸感の官能評価（炭酸感スコア）の値には相関がみられ、血流変化量が大きいものほど炭酸感が強いと評価することが可能である。
【００２６】
以上の方法により、請求項１に記載の生体光計測装置で被験者のこめかみ部付近の信号強度の変化を測定および炭酸感の評価方法を行うことができる。
【００２７】
次に、請求項２に記載の炭酸感の評価方法の手順（以下、手順Ａと呼ぶ）は次の通りである。まず、水または基準炭酸含有水溶液を飲用させ、生体光計測装置で被験者のこめかみ部付近の信号強度の変化を測定することを１回または数回行う工程（１）を行った後、被験炭酸含有水溶液を飲用させ、生体光計測装置で被験者のこめかみ部付近の信号強度の変化を測定し、該信号強度の変化を指標として被験炭酸含有水溶液の炭酸感を評価する工程（２）を行う。
【００２８】
基準炭酸含有水溶液は工程（１）で被験者に提示され、飲用する炭酸含有水溶液のことを指す。これに対して、工程（１）に続いて工程（２）で被験者に提示され、飲用される炭酸含有水溶液を被験炭酸含有水溶液と呼ぶ。
【００２９】
工程（１）で水を飲用させ、工程（２）で被験炭酸含有水溶液を飲用させる場合は、ヒトが被験炭酸含有水溶液の炭酸感を感じることにより、生体光計測装置を用いた被験者のこめかみ部付近の信号強度に変化が表れるのでこの変化を指標として炭酸感を評価することができる。また、工程（１）で基準炭酸含有水溶液を飲用させる場合は、工程（１）の信号強度の変化と工程（２）の信号強度を比較し、［工程（１）の信号強度の変化＜工程（２）の信号強度の変化］ならば、被験炭酸含有水溶液が基準炭酸含有水溶液に比べ、炭酸感が強いと被験者が感じたと評価する。また、［工程（１）の信号強度の変化＞工程（２）の信号強度の変化］ならば、被験炭酸含有水溶液が基準炭酸含有水溶液に比べ、炭酸感が弱いと被験者が感じたと評価する。また、［工程（１）の信号強度の変化＝工程（２）の信号強度の変化］ならば、被験炭酸含有水溶液と基準炭酸含有水溶液の炭酸感は同等であると被験者が感じたと評価する。その際、基準炭酸含有水溶液のガス圧（ｋｇ／ｃｍ2）がわかっていれば、そのガス圧を有する炭酸含有水溶液よりも炭酸感が強い、弱いまたは同等であると被験者が感じたことになり、基準炭酸含有水溶液のガス圧（以下、ガス圧相当値と呼ぶ）と比較した炭酸感の強さを表現することが可能である。
【００３０】
上記の手順で測定される被験者のこめかみ部付近の信号強度の変化についてさらに詳細に説明する。試料の飲食または試料溶液の飲用を行った場合、こめかみ部付近において、口に含んでから徐々に血流量が上昇し、約５秒から約３０秒程度の間に血流量が最大値を示す。その後、徐々に血流量は下降し、口に含んでから約６０秒でほぼ元のレベルとなる。そこで、口に含んでから約５秒から約３０秒までの血流量の「最大値」から、口に含んだ瞬間から約１５秒までの血流量の「最小値」を引いた値、すなわち血流量変化の「応答強度」を、こめかみ部付近の信号強度の変化とする。該信号強度の変化は、ヘモグロビン濃度の変化量に相当する。近赤外線分光法（ＮＩＲＳ）で得られる信号は、ヘモグロビン濃度と光路長の積であるため、ヘモグロビン濃度の絶対値として扱うことはできない。そこで、前記「最小値」をベースラインと仮定し、「最小値」から「最大値」までのヘモグロビン濃度の変化量を算出する。
【００３１】
請求項１〜４における測定全体の一連の手順の詳細は図２の通りである。まず、被験者を６０秒間安静な状態においた後、コップに入れた水または基準炭酸含有水溶液を飲用させ、３０秒間で生体光計測装置を用い、こめかみ部付近の信号強度の変化を測定し、さらに６０秒間安静とする。この操作を１回または数回（通常は２回）行った後、被験炭酸含有水溶液を飲用させ、３０秒間で生体光計測装置を用い、こめかみ部付近の信号強度の変化を測定し、さらに６０秒間安静とする。引き続き、図３の官能評価アンケートに官能評価の結果を記入させる。これら一連の工程を１セットとし、同一被験者に３回〜数回繰り返し計測を行う。
【００３２】
次に、請求項３に記載の炭酸感作用剤の評価方法の手順（以下、手順Ｂと呼ぶ）について説明する。まず、基準炭酸含有水溶液を飲用させ、生体光計測装置で被験者のこめかみ部付近の信号強度の変化を測定することを１回または数回行う工程（１）を行った後、基準炭酸含有水溶液に炭酸感作用剤をさらに添加した被験炭酸含有水溶液を飲用させ、生体光計測装置で被験者のこめかみ部付近の信号強度の変化を測定し、該信号強度の変化を指標として被験炭酸含有水溶液の炭酸感を評価する工程（２）を行う。
【００３３】
以下、飲用する炭酸含有水溶液の提示方法、生体光計測装置を用いた被験者のこめかみ部付近の信号強度の変化の測定方法、工程（１）の信号強度の変化と工程（２）の信号強度の変化を比較して被験者が、炭酸感が強いと感じたことを評価する方法、応答強度の具体的な算出方法、複数の被験者で測定を行った場合の平均波形、平均波形に基づく信号強度の変化量の求め方などは手順Ａと同様の手順に従って、行う。
【００３４】
なお、基準炭酸含有水溶液に対する炭酸感作用剤の添加効果の確認は、次のようにして行う。すなわち、基準炭酸含有水溶液を飲用させた工程（１）の信号強度の変化と、基準炭酸含有水溶液に炭酸感作用剤をさらに添加した被験炭酸含有水溶液を飲用させた工程（２）の信号強度を比較し、［工程（１）の信号強度の変化＜工程（２）の信号強度の変化］ならば、炭酸感作用剤は基準炭酸含有水溶液の炭酸感を強くする効果（増強効果）があると評価できる。また、その際、工程（１）の信号強度の変化に対する工程（１）の信号強度の変化の比率は１より大きくなるが、その数値が大きいものほどその効果が大きいと評価できる。もし、この比率が１より小さい場合は、添加した炭酸感作用剤の効果は炭酸感を弱くさせる効果（減少効果）があると評価できる。
【００３５】
炭酸感はヒトによって好みが異なることから、商品設計上は増強効果も減少効果も利用しうると考える。
【００３６】
次に、請求項４に記載の炭酸感の評価方法の手順（以下、手順Ｃと呼ぶ）について説明する。この評価方法は簡単に言えば、ガス圧がわかっている複数の炭酸含有水溶液を被験者に飲用させ、こめかみ部付近の信号強度を測定することにより、ガス圧−信号強度の変化量グラフを作成し、該グラフ上で被験炭酸含有水溶液の信号強度の変化量の数値に対応するガス圧を求め、被験炭酸含有水溶液の炭酸感をガス圧相当値として表す方法である。
【００３７】
手順Ｃの具体的な手順は、まず、水を飲用させ、生体光計測装置で被験者のこめかみ部付近の信号強度を測定することを１回または数回行う工程（１）を行い、続いて、工程（１）の測定後、連続して、ガス圧を測定した第一の炭酸含有水溶液を飲用させ、生体光計測装置で被験者のこめかみ部付近の信号強度の変化を測定する工程（２）を行う。
【００３８】
さらに、工程（２）の測定後、第一の炭酸含有水溶液より高いガス圧を有する、ガス圧を測定した第二の炭酸含有水溶液を飲用させ、生体光計測装置で被験者のこめかみ部付近の信号強度の変化を測定する工程（３）を行う。
【００３９】
さらに所望に応じて、工程（３）の測定後、直前に飲用した炭酸含有水溶液より高いガス圧を有する、新たな炭酸含有水溶液を飲用し、生体光計測装置で被験者のこめかみ部付近の信号強度の変化を測定することを１回〜数回繰り返す工程（４）を行う。工程（４）までの測定後、被験炭酸含有水溶液を飲用させ、生体光計測装置で被験者のこめかみ部付近の信号強度の変化量を測定する工程（５）を行う。
【００４０】
次に、工程（２）〜（４）の各炭酸含有水溶液のガス圧の値、工程（２）〜（４）の各工程で得られた被験者のこめかみ部付近の各信号強度の変化量を用い、Ｘ軸をガス圧、Ｙ軸を信号強度の変化量とするガス圧−信号強度の変化量グラフを作成する工程（６）を行い、工程（６）で作成したガス圧−信号強度の変化量グラフ上で、工程（５）で得られた信号強度の変化量に対応するガス圧（ｋｇ／ｃｍ２）を求める（工程（７））。得られたガス圧は被験炭酸含有水溶液の炭酸感を表す数値である。
【００４１】
検討を行った結果、炭酸含有水溶液の提示は、ガス圧の低いものから高いものへとすることにより、再現性の高い評価が行える。理由は不明であるが、炭酸含有水溶液を飲用することにより、舌や口腔内の粘膜等が感覚的に麻痺することが原因の一つと考えられ、ガス圧の低いものから高いものへとすることにより、被験者への負担が少なくなり、炭酸感の評価がし易くなるものと推測される。
【００４２】
最後に請求項１〜４における被験者の人数および信号強度の数値的扱いについて説明する。一般に、ヒトの感ずる炭酸感は個人差があることが知られており、本発明の評価方法でもこめかみ部分の信号強度に個人差があることが判明している。そこで、被験者の人数は特に制限はなく、人数が多いほどこめかみ部分の信号強度の平均値の信頼度が高くなるが、実際には本発明の利便性を考慮すれば、例えば、２〜２０人程度の被験者に対して測定を行い、得られた信号強度の平均値を用いることにより、評価を行うことができる。あるいは、用意した炭酸含有水溶液に対して大きな信号強度を示す被験者を２〜数名程度選抜し、本発明の炭酸感の評価方法を適用することにより、より感度が高く、信頼性のある評価が行うことができる。
【実施例】
【００４３】
以下に実施例を挙げ、本発明を更に詳細に説明する。
（実施例１）水→炭酸水（ガス圧２．０ｋｇ／ｃｍ２）の順で飲用した場合
３５０ｍｌ入りアルミ缶にイオン交換水３５０ｇを充填し、缶内ガス圧力を２．０ｋｇ／ｃｍ２に設定し、炭酸ガスを圧入し、缶シーマ（巻締め機）で密封した。これを８０℃の温水中で缶中心部温度が７０℃に達するまで加温した後、５分間７０℃を維持し殺菌後、冷水で冷却し炭酸水（ガス圧２．０ｋｇ／ｃｍ２）を調製した。また、これとは別に炭酸ガスを圧入しないイオン交換水３５０ｇをアルミ缶に充填し、同様の手順により加温、殺菌、冷却したものを用意した。これらの水および炭酸水の各試料を図２の手順にしたがい、被験者に摂食させ、こめかみ部付近の血流量を光トポグラフィ装置で測定すると共に、官能評価アンケートへの回答（図３）を行わせた。被験者、測定装置、官能評価アンケートおよび血流変化の測定結果を以下に示す。
［被験者］
２名（３０代の男性２名）。
［測定方法］
調製した試料は冷蔵庫内にて４℃で冷蔵、飲用直前に開栓し、プラスチックカップに１５ｍｌ程度注ぎ入れて、被験者に飲用させる試料とした。被験者による試料の飲用および評価の具体的手順は、すでに説明したとおり、図２に示す手順に従い行った。
［測定装置］
日立ＥＴＧ−４０００型光トポグラフィ装置（（株）日立メディコ製：５２チャンネル）
［官能評価アンケート］
炭酸感の官能評価による評価を被験者に対するアンケートにより行った。その際、炭酸感の強さについて最低を「無」、最高を「非常に強い」として、その間を「弱い」、「普通」、「強い」として１３段階に分ける炭酸感スコアとして、被験者に記載させた。
［血流変化の測定結果］
予備的な実験により、こめかみ部血流変化の測定では、始めに複数回（２〜３回）水を飲用させると、各チャンネルの血流変化のグラフはほぼ一定の波形となり、続いて飲用させる被験炭酸含有水溶液の測定が安定して行えることが判明した。
【００４４】
そこで実施例１では水を２回飲用した後、炭酸水（ガス圧２．０ｋｇ／ｃｍ２）を飲用した場合の被験者の平均血流変化（５２チャンネルの測定結果）を図４に示す。また、その結果の中で変化の大きかったチャンネル（５２ＣＨ、４４ＣＨ、３３ＣＨ）の被験者の平均血流変化を図５に示す。また、炭酸水（ガス圧２．０ｋｇ／ｃｍ２）を飲用した場合の被験者の官能評価結果（以下、炭酸感スコアと呼ぶ）を図６に示す。
【００４５】
図５に示すように、チャンネル５２、４４、３３では、炭酸水（ガス圧２．０ｋｇ／ｃｍ２）を飲用した場合、水を飲用した場合に比べ、いずれも大きな応答が得られることが確認された。一方、炭酸水（ガス圧２．６ｋｇ／ｃｍ２）を飲用した場合の被験者の炭酸感スコアは７．０（２名の平均値）であった。
【００４６】
以上の結果を検討した結果、得られたこめかみ部血流変化量と官能評価による炭酸感スコアとの間には十分な相関が見られ、本発明の評価方法で規定する血流変化量がヒトの炭酸感を評価するうえで、客観的な評価指標となりうることが確認された。
【００４７】
（実施例２）炭酸水（ガス圧２．０ｋｇ／ｃｍ２）→炭酸水（ガス圧２．６ｋｇ／ｃｍ２）の順で飲用した場合
実施例１と同様の手順に従い、炭酸水（ガス圧２．０ｋｇ／ｃｍ２）及び炭酸水（ガス圧２．６ｋｇ／ｃｍ２）を調製した。これらの炭酸水の各試料を図２の手順にしたがい、被験者に摂食させ、こめかみ部付近の血流量を光トポグラフィ装置で測定すると共に、官能評価アンケートへの回答（図３）を行わせた。
［被験者］
２名（３０代の男性２名→実施例１の被験者と同じ）。
［測定方法、測定装置及び官能評価アンケート］
実施例１と同様の手順により行った。
［血流変化の測定結果］
炭酸水（ガス圧２．０ｋｇ／ｃｍ２）を２回飲用した後、炭酸水（ガス圧２．６ｋｇ／ｃｍ２）を飲用させた。被験者の平均血流変化（５２チャンネルの測定結果）を図７に示す。また、その中で変化の大きかったチャンネル（５２ＣＨ、４４ＣＨ、３３ＣＨ）の被験者２名の平均血流変化を図８に示す。また、被験者の炭酸感スコアを図９に示す。
【００４８】
図８に示すように、チャンネル５２、４４、３３では、炭酸水（ガス圧２．６ｋｇ／ｃｍ２）を飲用した場合、炭酸水（ガス圧２．０ｋｇ／ｃｍ２）を飲用した場合に比べ、いずれも大きな応答が得られることが確認された。一方、図９に示すように、炭酸水（ガス圧２．６ｋｇ／ｃｍ２）を飲用した場合の被験者の炭酸感スコアはそれぞれ、６．６、８．２（２名の平均値）であった。
【００４９】
実施例１と同様に、得られた血流変化量と官能評価による炭酸感スコアとの間には十分な相関が見られ、本発明の評価方法で規定する血流変化量がヒトの炭酸感を評価するうえで、客観的な評価指標となりうることが確認された。
【００５０】
（実施例３）炭酸飲料（ガス圧２．０ｋｇ／ｃｍ２）→６，８，１０−ウンデカトリエン−３−オン（ユズノン：長谷川香料（株）、登録商標）２ｐｐｔ添加炭酸飲料（ガス圧２．０ｋｇ／ｃｍ２）→炭酸飲料（ガス圧２．６ｋｇ／ｃｍ２）の順で飲用した場合
３５０ｍｌ入りアルミ缶に果糖ぶどう糖液糖（Ｂｘ７５°）１３ｋｇ、結晶クエン酸０．１４ｋｇ、クエン酸三ナトリウム０．０４ｋｇにイオン交換水を加えて１００Ｌとした（炭酸飲料原液）を充填し、缶内ガス圧力を２．０ｋｇ／ｃｍ２に設定し、炭酸ガスを圧入し、缶シーマ（巻締め機）で密封した。これを８０℃の温水中で缶中心部温度が７０℃に達するまで加温した後、５分間７０℃で維持し殺菌後、冷水で冷却し炭酸飲料（ガス圧２．０ｋｇ／ｃｍ２）を調製した。また、上記の炭酸飲料（ガス圧２．０ｋｇ／ｃｍ２）に６，８，１０−ウンデカトリエン−３−オン（ユズノン）を０．１ｇ添加する（２ｐｐｔ）以外は同様の手順に従い、ユズノン添加炭酸飲料（ユズノン２ｐｐｔ、ガス圧２．０ｋｇ／ｃｍ２）を調製した。
【００５１】
なお、６，８，１０−ウンデカトリエン−３−オン（ユズノン）の調製は特許第５４１７０６６号の実施例１記載の製造方法に従って行った。
【００５２】
次に、缶内ガス圧力を２．６ｋｇ／ｃｍ２に設定するほかは炭酸飲料（ガス圧２．０ｋｇ／ｃｍ２）と同様の手順により加温、殺菌、冷却し、炭酸飲料（ガス圧２．６ｋｇ／ｃｍ２）を調製した。これらの炭酸飲料（ガス圧２．０ｋｇ／ｃｍ２）、ユズノン添加炭酸飲料（ユズノン２ｐｐｔ、ガス圧２．０ｋｇ／ｃｍ２）および炭酸飲料（ガス圧２．６ｋｇ／ｃｍ２）の各試料を図２の手順にしたがい、被験者に摂食させ、こめかみ部付近の血流量を光トポグラフィ装置で測定すると共に、官能評価アンケートへの回答（図３）を行わせた。
［被験者］
３名（３０代の男性２名）。
［測定方法、測定装置及び官能評価アンケート］
実施例１と同様の手順により行った。
［血流変化の測定結果］
炭酸飲料（ガス圧２．０ｋｇ／ｃｍ２）を２回飲用した後、ユズノン添加炭酸飲料（ユズノン２ｐｐｔ、ガス圧２．０ｋｇ／ｃｍ２）を飲用した場合の被験者の平均血流変化（５２チャンネルの測定結果）を図１０に示す。また、左右こめかみ部として（５２ＣＨ、５１ＣＨ、４４ＣＨ、４３ＣＨ、４１ＣＨ、３３ＣＨ）の被験者の平均血流変化を図１１に示す。また、炭酸水（ガス圧２．０ｋｇ／ｃｍ２）を飲用した場合の被験者の官能評価結果（炭酸感スコア）を図１２に示す。
【００５３】
図１１に示すように、左右こめかみ部平均（５２ＣＨ、５１ＣＨ、４４ＣＨ、４３ＣＨ、４１ＣＨ、３３ＣＨ）では、ユズノン添加炭酸飲料を飲用した場合、炭酸水（ガス圧２．０ｋｇ／ｃｍ２）に比べ、約１０％程度の血流変化の上昇が見られた。
【００５４】
一方、被験者の官能評価結果である炭酸感スコアは、炭酸水（ガス圧２．０ｋｇ／ｃｍ２）が５．０、ユズノン添加炭酸飲料が６．６、炭酸飲料（ガス圧２．６ｋｇ／ｃｍ２）が６．３（２名の平均値）であった。ユズノン添加炭酸飲料はガス圧２．０ｋｇ／ｃｍ２であるが、炭酸スコアの数値によれば、被験者は炭酸飲料（ガス圧２．６ｋｇ／ｃｍ２）より炭酸感が高いと感じていることが確認された。また、ユズノン添加炭酸飲料を飲用した場合、上記の左右こめかみ部平均の値が炭酸水（ガス圧２．０ｋｇ／ｃｍ２）に比べ高い値を示したという客観的事実は、ユズノンの炭酸感増強効果を裏付ける指標となりうることを示すものである。
【００５５】
以上の結果から、本発明の評価方法は基準炭酸含有水溶液に対する炭酸感作用剤の効果の評価方法としても、客観的な評価指標となりうることが確認された。
【００５６】
（実施例４）炭酸飲料（ガス圧２．０ｋｇ／ｃｍ２）→ユズノン含有炭酸感作用剤０．０２％添加炭酸飲料（ガス圧２．０ｋｇ／ｃｍ２）の順で飲用した場合
実施例３と同様の手順に従い、炭酸飲料（ガス圧２．０ｋｇ／ｃｍ２）を調製した。
【００５７】
また、実施例１のユズノンに代えて表１の組成を有するユズノン含有炭酸感作用剤（長谷川香料社製ユズ香料、ＹＺ−１０９）を２０ｇ添加する（０．０２％）以外は同様の手順に従い、ＹＺ−１０９添加炭酸飲料（ガス圧２．０ｋｇ／ｃｍ２）を調製した。
【００５８】
得られた炭酸飲料（ガス圧２．０ｋｇ／ｃｍ２）およびＹＺ−１０９添加炭酸飲料（ガス圧２．０ｋｇ／ｃｍ２）の各試料を図２の手順にしたがい、被験者に摂食させ、こめかみ部付近の血流量を光トポグラフィ装置で測定すると共に、官能評価アンケートへの回答（図３）を行わせた。
【００５９】
【表１】
2016002091.tif 000003
【００６０】
［被験者］
３名（３０代の男性３名）。
［測定方法、測定装置及び官能評価アンケート］
実施例１と同様の手順により行った。
［血流変化の測定結果］
炭酸飲料（ガス圧２．０ｋｇ／ｃｍ２）を２回飲用した後、ＹＺ−１０９添加炭酸飲料（ガス圧２．０ｋｇ／ｃｍ２）を飲用した場合の被験者の平均血流変化（５２チャンネルの測定結果）を図１３に示す。また、左右こめかみ部として（５２ＣＨ、５１ＣＨ、４４ＣＨ、４３ＣＨ、４１ＣＨ、３３ＣＨ）の被験者の平均血流変化（５２チャンネルの測定結果）を図１４に示す。また、炭酸飲料（ガス圧２．０ｋｇ／ｃｍ２）、ＹＺ−１０９添加炭酸飲料（ガス圧２．０ｋｇ／ｃｍ２）および実施例３のユズノン添加炭酸飲料を飲用した場合の被験者の官能評価結果（炭酸感スコア）を図１５に示す。
【００６１】
図１５に示すように、左右こめかみ部平均（５２ＣＨ、５１ＣＨ、４４ＣＨ、４３ＣＨ、４１ＣＨ、３３ＣＨ）では、ＹＺ−１０９添加炭酸飲料を飲用した場合、炭酸飲料（ガス圧２．０ｋｇ／ｃｍ２）に比べ、約１０％前後の血流変化の上昇が見られた。
【００６２】
一方、被験者の官能評価結果である炭酸感スコアは、炭酸飲料（ガス圧２．０ｋｇ／ｃｍ２）が４．８、ユズノン添加炭酸飲料が６．６、ＹＺ−１０９添加炭酸飲料が６．６、（２名の平均値）であった。ユズノン含有炭酸感作用剤添加炭酸飲料の炭酸スコアはユズノン添加炭酸飲料と同じ６．６であり、実施例３の結果と合わせれば、被験者は官能的にガス圧２．６ｋｇ／ｃｍ２より炭酸感が高いと感じていることが確認された。また、ＹＺ−１０９添加炭酸飲料を飲用した場合、上記の左右こめかみ部平均の値が炭酸飲料（ガス圧２．０ｋｇ／ｃｍ２）に比べ高い値を示したという客観的事実は、調合香料であるユズノン含有炭酸感作用剤（ＹＺ−１０９）の炭酸感増強効果を裏付ける指標となりうることを示すものである。
【００６３】
以上の結果からも実施例３と同様、本発明の評価方法が基準炭酸含有水溶液に対する炭酸感作用剤の効果の評価方法としても、客観的な評価指標となりうることが確認された。
【００６４】
（実施例５）水→炭酸水（ガス圧１．０ｋｇ／ｃｍ２）〜炭酸水（ガス圧４．０ｋｇ／ｃｍ２）の順で飲用した場合
実施例１と同様の手順に従い、水及びガス圧を４段階（１．０、２．０、３．０、４．０ｋｇ／ｃｍ２）に調整した炭酸水を調製した。これらの水および炭酸水の各試料を図２の手順にしたがい、被験者に摂食させ、こめかみ部付近の血流量を光トポグラフィ装置で測定すると共に、官能評価アンケートへの回答（図３）を行わせた。
［被験者］
３名（３０代の男性３名）。
［測定方法、測定装置及び官能評価アンケート］
実施例１と同様の手順により行った。
【００６５】
ただし、飲用は、水→炭酸水（ガス圧１．０ｋｇ／ｃｍ２）→炭酸水（ガス圧２．０ｋｇ／ｃｍ２）→炭酸水（ガス圧３．０ｋｇ／ｃｍ２）→炭酸水（ガス圧４．０ｋｇ／ｃｍ２）の順に行った。
［血流変化の測定結果］
水を２回飲用した後、４段階の炭酸水（ガス圧１．０ｋｇ／ｃｍ２）〜炭酸水（ガス圧３．０ｋｇ／ｃｍ２）を飲用した場合の被験者の左こめかみ部として（５２ＣＨ、５１ＣＨ、４１ＣＨ）の被験者の平均血流変化を図１６に示す。同様に右こめかみ部として（４３ＣＨ、４４ＣＨ、３３ＣＨ）の被験者の平均血流変化を図１７に示す。さらに左こめかみ部平均（５２ＣＨ、５１ＣＨ、４１ＣＨ）、右こめかみ部平均（４３ＣＨ、４４ＣＨ、３３ＣＨ）および左右こめかみ部平均の被験者の平均血流変化を図１８に示す。
【００６６】
水および炭酸水（ガス圧１．０ｋｇ／ｃｍ２）〜炭酸水（ガス圧３．０ｋｇ／ｃｍ２）を飲用した場合の被験者の官能評価結果をガス圧−炭酸感スコアのグラフとして図１９に示す。
【００６７】
図１９に示したようにガス圧が０、１、２、３、４ｋｇ／ｃｍ２の範囲ではガス圧−炭酸感のグラフはほぼ直線となったが、ガス圧が３および４ｋｇ／ｃｍ２と高くなるとやや飽和した状態であり、これ以上のガス圧の場合は官能的には区別できない可能性が示唆された。
【００６８】
これに対し、図１６〜１８に示したように左こめかみ部、右こめかみ部および左右こめかみ部平均のいずれの場合もガス圧が０〜４ｋｇ／ｃｍ２の範囲で右肩上がりの増加傾向を示し、ガス圧−信号強度の変化のグラフはほぼ直線となった。すなわち、本発明の方法で測定される被験者の信号強度はガス圧の増加と良好な相関があり、ヒトが感ずる炭酸感の客観的指標として使用できることが確認された。
【００６９】
また、ガス圧−信号強度の変化のグラフはほぼ直線となること利用すれば、被験炭酸含有水溶液を飲用させ、得られる信号強度の変化に相当する上記直線上のガス圧を求め、該ガス圧を被験炭酸含有水溶液の炭酸感の指標として用いることができる。
【００７０】
以上のように、本発明の評価方法により、ヒトの炭酸感を測定したところ、官能評価と相関する結果が得られ、本発明の評価方法で規定する相対値がヒトの感じる炭酸感を評価するうえで、客観的な指標となりうることが確認された。また、本発明の評価方法を用いれば、炭酸飲料などの飲食品に添加するフレーバーが炭酸感増強効果を有するかどうかの評価を行うことが可能となり、低炭酸でありながら、好ましい炭酸感を有する飲料等の開発に極めて有用である。
【図１】
2016002091.tif 000004
【図２】
2016002091.tif 000005
【図３】
2016002091.tif 000006
【図４】
2016002091.tif 000007
【図５】
2016002091.tif 000008
【図６】
2016002091.tif 000009
【図７】
2016002091.tif 000010
【図８】
2016002091.tif 000011
【図９】
2016002091.tif 000012
【図１０】
2016002091.tif 000013
【図１１】
2016002091.tif 000014
【図１２】
2016002091.tif 000015
【図１３】
2016002091.tif 000016
【図１４】
2016002091.tif 000017
【図１５】
2016002091.tif 000018
【図１６】
2016002091.tif 000019
【図１７】
2016002091.tif 000020
【図１８】
2016002091.tif 000021
【図１９】
2016002091.tif 000022